(57)【要約】【課題】柄に対する取付位置を調整できるとともに、柄の滑りを確実に防止できる柄用グリップを提供する。【解決手段】柄用グリップ１０は、外柄１４の外面に装着されるグリップ本体２２と、グリップ本体２２と一体成形され、グリップ本体２２を外柄１４の外面に着脱自在に固定する固定ベルト２４とを備える。外柄１４から内柄１６を振り出すと、その勢いによって伸縮柄１２が手の中を軸方向へ滑ろうとするが、柄用グリップ１０を握っていれば、固定ベルト２４と外柄１４との摩擦抵抗によって滑りが防止される。【選択図】        図５
2004147582.tif 000002
【特許請求の範囲】
【請求項１】
魚を捕らえる網やギャフ等が取り付けられる柄の軸方向への滑りを防止するための柄用グリップであって、
前記柄の外面に装着されるグリップ本体と、前記グリップ本体と一体成形され、前記グリップ本体を前記柄の外面に着脱自在に固定する固定ベルトとを備える、柄用グリップ。
【請求項２】
魚を捕らえる網やギャフ等が取り付けられる柄の軸方向への滑りを防止するための柄用グリップであって、
前記柄の外面に筒状に装着され、加熱により縮径されるグリップ本体を備える、柄用グリップ。
【発明の詳細な説明】
【０００１】
【発明の属する技術分野】
この発明は、魚を捕らえる網やギャフ等が取り付けられる柄が手の中を軸方向へ滑るのを防止するための柄用グリップに関する。
【０００２】
【従来の技術】
たとえば、外柄の内部に内柄が摺動自在に配置された伸縮柄においては、内柄自体の重量や内柄に取り付けられた網等の重量を利用して、外柄から内柄が振り出される。そのため、内柄を振り出したときの勢いによって伸縮柄が手の中を軸方向へ滑りやすく、魚釣りの際には、伸縮柄を海中へ落としてしまうおそれがあった。また、１本物の柄の場合でも、柄に取り付けられた網等で魚を捕らえた際に、魚の重量によって柄が滑りやすくなるため、同様の問題があった。
【０００３】
そこで、従来では、柄の外面に滑り止め用の凹凸加工を施すようにしていたが、凹凸加工だけでは、十分な滑り防止効果を得ることはできなかった。また、柄を手で握る位置は柄を取扱う者の身長や腕力によって異なるが、従来の凹凸加工の位置は一定であり、その位置を変更することはできなかった。
【０００４】
【発明が解決しようとする課題】
それゆえに、この発明の主たる目的は、柄に対する取付位置を調整できるとともに、柄の滑りを確実に防止できる柄用グリップを提供することである。
【０００５】
【課題を解決するための手段】
請求項１に記載した発明は、「魚を捕らえる網やギャフ等が取り付けられる柄の軸方向への滑りを防止するための柄用グリップであって、柄の外面に装着されるグリップ本体と、グリップ本体と一体成形され、グリップ本体を柄の外面に着脱自在に固定する固定ベルトとを備える、柄用グリップ」である。
【０００６】
この発明では、グリップ本体が固定ベルトによって柄の任意の位置に固定される。柄と柄用グリップとは別体であるため、柄に対して柄用グリップを必要なときに必要な数だけ取り付けることができる。
請求項２に記載した発明は、「魚を捕らえる網やギャフ等が取り付けられる柄の軸方向への滑りを防止するための柄用グリップであって、柄の外面に筒状に装着され、加熱により縮径されるグリップ本体を備える、柄用グリップ」である。
【０００７】
この発明では、グリップ本体が縮径されることによって、柄用グリップが柄の外面に固定される。
【０００８】
【発明の実施の形態】
図１〜図３を参照して、この発明が適用された柄用グリップ１０は、図４〜図８に示すような伸縮柄１２の外面に着脱自在に取り付けられるものである。ただし、柄用グリップ１０は、図示しない１本物の柄に対しても適用可能であることを予め指摘しておく。
【０００９】
伸縮柄１２は、筒状の外柄１４と外柄１４の内側に摺動自在に配置された筒状の内柄１６（図６〜図８）とを有し、内柄１６の先端部には、網１８（図７）やギャフ２０（図８）を取り付けるための図示しない取付部材が装着されている。
【００１０】
柄用グリップ１０（図１〜図３）は、外柄１４から内柄１６を振り出したときの勢いで伸縮柄１２が手の中を軸方向へ滑るのを防止するものであり、グリップ本体２２と、グリップ本体２２を外柄１４の外面に固定するための２つの固定ベルト２４とを含む。
【００１１】
グリップ本体２２は、中実の球体に外柄１４の外径よりもやや大きい内径を有する貫通孔２２ａを設けた形状を有し、グリップ本体２２の大きさは、十分なグリップ性を得るために人の手に納まる程度の大きさ（たとえば外径３３ｍｍ，軸方向長さ２５ｍｍ）に設定される。
【００１２】
各固定ベルト２４は、ゴムや軟質樹脂等のような可撓性材料（弾性材料を含む）によってグリップ本体２２と一体成形されるものであり、貫通孔２２ａの両開口端から軸方向へ延びる側面視略Ｃ字状の締着部２４ａと、締着部２４ａの周方向一方端部から周方向へ延びる帯状部２４ｂとによって構成される。そして、締着部２４ａの外面には、略きのこ状の係止突起２６が形成され、帯状部２４ｂには、係止突起２６が嵌め込まれる複数の係止孔２８が形成される。
【００１３】
なお、グリップ本体２２と各固定ベルト２４とは、同じ材料により一体成形されてもよいし、異なる材料により一体成形されてもよい。
【００１４】
柄用グリップ１０を伸縮柄１２に取り付ける際には、まず、図３に示すように、係止突起２６と係止孔２８との係合状態を解除する。続いて、グリップ本体２２の貫通孔２２ａに外柄１４を挿入し、外柄１４の外面の所定位置に柄用グリップ１０を位置決めする。そして、各固定ベルト２４の帯状部２４ｂを引っ張ることによって各締着部２４ａの内面を外柄１４の外面に密着させ、その状態で係止突起２６とこれに適合する一つの係止孔２８とを嵌め合わす。
【００１５】
伸縮柄１２を使用する際には、内柄１６の先端部に設けられた図示しない取付部材に、図７に示すような網１８や、図８に示すようなギャフ２０を取り付ける。そして、一方の手で外柄１４の外面を握り、他方の手で柄用グリップ１０を握り、その状態で外柄１４から内柄１６を振り出す。
【００１６】
このとき、内柄１６を振り出す勢いによって伸縮柄１２が手の中を軸方向へ滑ろうとするが、柄用グリップ１０（各固定ベルト２４）と外柄１４とは密着されており、密着部の摩擦抵抗によって滑りが抑制されるので、伸縮柄１２を海中へ落としたりする心配はない。
【００１７】
また、網１８やギャフ２０で魚を捕らえた際には、魚の重量によって伸縮柄１２が手の中を軸方向へ滑ろうとするが、この場合にも、柄用グリップ１０が滑り防止効果を発揮するので、伸縮柄１２を海中へ落としたりする心配はない。
【００１８】
この実施例の柄用グリップ１０によれば、伸縮柄１２の滑りを効果的に防止できる。また、伸縮柄１２を取扱う者の身長や腕力に応じて取付位置を調整できるので、滑り防止効果を有効に発揮することができる。さらに、必要なときに必要な数だけ取り付けることができるので、伸縮柄１２の使用目的に応じて滑り防止効果の程度を調整できる。
【００１９】
なお、上述の実施例では、グリップ本体２２を略球状に形成しているが、グリップ本体２２の形状は特に限定されるものではなく、たとえば略円柱状に形成されてもよい。また、グリップ本体２２の外面には、滑り止めのための凹凸が形成されてもよく、たとえば図９に示すように、複数の周方向リブ３０が形成されてもよい。さらに、固定ベルト２４は、グリップ本体２２のいずれか一方の開口端部のみに形成されてもよい。
【００２０】
図１０および図１１を参照して、他の実施例の柄用グリップ３２は、外柄１４の外面に筒状に装着され、加熱により縮径されるグリップ本体３４を備える。グリップ本体３４における周方向両端部は、周方向端縁に向うにつれて肉薄となるように楔状に形成され、この周方向端部３４ａどうしが重ね合わされることによって筒状体が構成される。なお、加熱により縮径されるグリップ本体３４は、形状記憶樹脂，熱収縮性樹脂または形状記憶合金等により製造することができる。
【００２１】
柄用グリップ３２を伸縮柄１２に取り付ける際には、まず、グリップ本体３４の内側に確保された貫通孔３４ｂに外柄１４を挿入し、外柄１４の外面の所定位置に柄用グリップ３２を位置決めする。そして、ドライヤーまたは熱湯等を用いてグリップ本体３４を加熱する。すると、グリップ本体３４の縮径が開始されてグリップ本体３４の内面が外柄１４の外面に密着され、これにより柄用グリップ３２が外柄１４の外面に固定される。
【００２２】
この柄用グリップ３２においても伸縮柄１２の滑りを防止でき、先の柄用グリップ１０（図１〜図３）と同様の効果を期待できる。
【００２３】
【発明の効果】
請求項１および２に記載した発明によれば、柄の任意の位置に柄用グリップを取り付けることができるので、柄を取扱う者の身長や腕力に応じてその位置を適宜調整できる。また、柄用グリップを必要な数だけ取り付けることができるので、柄の用途に応じて滑り防止効果の程度を調整できる。
【図面の簡単な説明】
【図１】柄用グリップを示す図である。
【図２】図１におけるＩＩ−ＩＩ線断面図である。
【図３】係止突起と係止孔との係合状態を解除した図である。
【図４】柄用グリップの使用状態を示す図である。
【図５】柄用グリップの使用状態を示す部分拡大図である。
【図６】柄用グリップの使用状態を示す部分拡大断面図である。
【図７】柄用グリップの使用状態（網）を示す図である。
【図８】柄用グリップの使用状態（ギャフ）を示す図である。
【図９】グリップ本体の変形例を示す図である。
【図１０】他の柄用グリップを示す図である。
【図１１】図１０におけるＸＩ−ＸＩ線断面図である。
【符号の説明】
１０…  柄用グリップ
１２…  伸縮柄
１４…  外柄
１６…  内柄
２２…  グリップ本体
２２ａ…  貫通孔
２４…  固定ベルト
２４ａ  …締着部
２４ｂ  …帯状部
２６…  係止突起
２８…  係止孔
３０…  周方向リブ
【図１】
2004147582.tif 000003
【図２】
2004147582.tif 000004
【図３】
2004147582.tif 000005
【図４】
2004147582.tif 000006
【図５】
2004147582.tif 000007
【図６】
2004147582.tif 000008
【図７】
2004147582.tif 000009
【図８】
2004147582.tif 000010
【図９】
2004147582.tif 000011
【図１０】
2004147582.tif 000012
【図１１】
2004147582.tif 000013